(57)【要約】      （修正有）【課題】防雨機能を有するシャッタを自動的に開閉する手段を提供する。【解決手段】紙幣入出金口６を開閉する本体シャッタ２１と、本体シャッタ２１の裏面に本体シャッタ２１の開作動方向と直交する方向に設けられた支持シャフト２３と、支持シャフト２３の両端に回転自在に設けられたシャッタローラ２２と、シャッタローラ２２の移動を案内するガイドレール２７と、本体シャッタ２１を閉作動方向に付勢する引張コイルスプリング２４とを備え、紙幣入出金ユニット５は、ユニットシャッタ１１の開閉機構１２に、本体シャッタ２１の開作動方向の後端部を押圧する押圧部材１９を備え、ユニットシャッタ１１の開作動時に、押圧部材１９で本体シャッタ２１の後端部を押圧して、本体シャッタ２１を開作動させる。【選択図】図４
2010073148.tif 000002
【特許請求の範囲】
【請求項１】
入出金部の開口を覆うユニットシャッタと、前記ユニットシャッタを開閉する開閉機構とを有し、装置本体に着脱可能に装着された貨幣入出金ユニットと、
前記装置本体の入出金パネルに設けられ、前記入出金部への貨幣の入出金を行う入出金口とを備えた自動取引装置において、
前記装置本体は、
前記入出金パネルのおもて面と面一のおもて面を有し、前記入出金口を開閉する本体シャッタと、
前記本体シャッタの裏面に、前記本体シャッタの開作動方向と直交する方向に設けられた支持シャフトと、
前記支持シャフトの両端に回転自在に設けられたシャッタローラと、
前記シャッタローラの移動を案内するガイドレールと、
前記本体シャッタを、閉作動方向に付勢するバネ部材と、を備え、
貨幣入出金ユニットは、
前記ユニットシャッタの開閉機構に、前記本体シャッタの開作動方向の後端部を押圧する押圧部材を備え、
前記ユニットシャッタの開作動時に、前記押圧部材で、前記本体シャッタの後端部を押圧して、前記本体シャッタを開作動させることを特徴とする自動取引装置。
【請求項２】
請求項１において、
前記装置本体は、
前記入出金パネルの、前記入出金口の開作動方向の縁部の裏面に設けられた吸水性を有する吸水部材を備え、
前記本体シャッタの開閉作動時に、前記吸水部材を前記本体シャッタのおもて面に摺接させることを特徴とする自動取引装置。
【請求項３】
請求項１または請求項２において、
前記装置本体は、
前記本体シャッタのロック機構を備えることを特徴とする自動取引装置。
【発明の詳細な説明】
【技術分野】
【０００１】
本発明は、顧客との現金による取引を自動で行う現金自動預払機等の自動取引装置に関する。
【背景技術】
【０００２】
海外の国々および地域においては、現金自動預払機の操作部のみを建屋の屋外に露出させ、紙幣等の補充作業や保守作業を行う装置の裏面側を屋内側に設置した外壁設置が行われる場合がある。
このような外壁設置の現金自動預払機の場合には、降雨の際に屋外に露出させた操作部から内部に雨水が浸入して現金自動預払機の装置内部に故障が生ずる可能性があるため、雨水の侵入を防止するための機構を備える必要がある。
【０００３】
このため、従来の現金自動預払機は、外壁設置の場合に、操作部を覆いスプリングヒンジにより開閉する透明な防雨シャッタを設け、現金の取引時に、顧客が手動でシャッタを開閉させて現金の入出金を行い、降雨時における現金自動預払機の内部への雨水の侵入を防止している（例えば、特許文献１参照。）。
【特許文献１】特開２００６−１０５６０１号公報（段落００１３、第１図、第４図）
【発明の開示】
【発明が解決しようとする課題】
【０００４】
しかしながら、上述した従来の技術においては、防雨シャッタを、顧客が手動で開閉させて現金の入出金を行っているため、顧客は降雨時以外のときでも、常に防雨シャッタを開閉させて現金による取引を行わなければならず、現金自動預払機の操作性が阻害されるという問題がある。
一方、降雨時または降雨直後の取引においては、防雨シャッタのおもて面が雨水で濡れた状態になっているため、防雨シャッタを開閉する際に手が雨水で汚れてしまい、衛生上好ましくないという問題がある。
【０００５】
また、入金する紙幣または出金した紙幣に雨水等の水分が付着して、紙幣を損傷させる虞があるという問題がある。
このことは、入金する紙幣に水分が付着して紙幣の剛性を弱めてしまった場合に、ジャムの発生要因となるので、好ましくない。
本発明は、上記の問題点を解決するためになされたもので、防雨機能を有するシャッタを自動的に開閉する手段を提供することを目的とする。
【課題を解決するための手段】
【０００６】
本発明は、上記課題を解決するために、入出金部の開口を覆うユニットシャッタと、前記ユニットシャッタを開閉する開閉機構とを有し、装置本体に着脱可能に装着された貨幣入出金ユニットと、前記装置本体の入出金パネルに設けられ、前記入出金部への貨幣の入出金を行う入出金口とを備えた自動取引装置において、前記装置本体は、前記入出金パネルのおもて面と面一のおもて面を有し、前記入出金口を開閉する本体シャッタと、前記本体シャッタの裏面に、前記本体シャッタの開作動方向と直交する方向に設けられた支持シャフトと、前記支持シャフトの両端に回転自在に設けられたシャッタローラと、前記シャッタローラの移動を案内するガイドレールと、前記本体シャッタを、閉作動方向に付勢するバネ部材と、を備え、貨幣入出金ユニットは、前記ユニットシャッタの開閉機構に、前記本体シャッタの開作動方向の後端部を押圧する押圧部材を備え、前記ユニットシャッタの開作動時に、前記押圧部材で、前記本体シャッタの後端部を押圧して、前記本体シャッタを開作動させることを特徴とする。
【発明の効果】
【０００７】
これにより、本発明は、ユニットシャッタの開閉作動に連動させて本体シャッタを開閉作動させることができ、防雨機能を有するシャッタ機構を、省スペースかつ簡素な構成で形成することができると共に、顧客に通常の場合と同様の手順による貨幣の入出金取引を提供することができるという効果が得られる。
【発明を実施するための最良の形態】
【０００８】
以下に、図面を参照して本発明による自動取引装置の実施例について説明する。
【実施例１】
【０００９】
図１は実施例１の現金自動預払機を示す外観図、図２は実施例１の紙幣入出金ユニットのシャッタ機構を示す説明図、図３は実施例１の装置本体のシャッタ機構を示す説明図、図４は実施例１の現金自動預払機のシャッタ部の側面を示す説明図、図５は実施例１の現金自動預払機のシャッタ部の上面を示す説明図である。
なお、図５は装置本体のパネルを除いた状態で示してある。
【００１０】
図１において、１は自動取引装置としての現金自動預払機であり、海外の銀行等の金融機関の店舗の建屋に外壁設置され、顧客との間で、貨幣としての紙幣を用いた取引処理を自動で行う。
３は操作表示部であり、現金自動預払機１の装置本体２の前面パネル２ａに設けられ、ＬＣＤ等の表示画面とタッチパネル等の入力手段との組合せで構成されており、表示画面に入金取引や出金取引等の取引選択ボタンを表示した取引選択画面や各種の入力画面等を表示する他、入力手段により顧客からの入力を受付ける。
【００１１】
５は貨幣取扱装置としての紙幣入出金ユニットであり、装置本体２の入出金パネル２ｂに設けられた開口である入出金口としての紙幣入出金口６から、入金取引時等に顧客が投入した紙幣を受入れ、これを鑑別および計数して収納庫に収納し、出金取引時等に収納庫から顧客に支払う紙幣を繰出し、これを計数して紙幣入出金口６から顧客に引渡す機能を有している。
【００１２】
また、紙幣入出金ユニット５は、装置本体２に着脱可能に装着され、係員は、装置本体２の背面側に設けられた扉８を開けて紙幣入出金ユニット５をスライドレール７によって引出し、これを取外して紙幣の補充等を行う。
本実施例の現金自動預払機１は、前面パネル２ａと入出金パネル２ｂとを屋外に露出させた状態で、外壁設置されている。
【００１３】
上記の紙幣入出金ユニット５は、図２、図４に示すように、顧客が投入した紙幣を１枚毎に分離して繰出す図示しない分離機構や、顧客に引渡す出金紙幣等を集積する集積機構等を有する入出金部１０、入出金部１０の開口の上方を覆い、紙幣の受入時および取出時に開閉する板状のユニットシャッタ１１等を備えている。
１２はユニットシャッタ１１の開閉機構であり、ユニットシャッタ１１の開作動方向に沿った両側に配置され、プーリ１３ａ、１３ｂに掛け渡されたベルト１４と、ベルト１４の外周面を摩擦力により駆動する、駆動シャフト２０ａに固定された摩擦ローラ１５と、駆動シャフト２０ａを回転駆動するモータ２０（図５参照）等で構成され、ユニットシャッタ１１の裏面が、ベルト１４の外周面に固定されたシャッタ固定具１６に固定されている。
【００１４】
この開閉機構のモータ２０を正逆回転させることにより、ユニットシャッタ１１が開閉される。
１７はシャッタ閉センサであり、ユニットシャッタ１１が入出金部１０の開口を閉鎖する閉鎖位置に位置したことを検出する光学式のセンサである。
１８はシャッタ開センサであり、ユニットシャッタ１１が入出金部１０の開口を開放した開放位置に位置したことを検出する光学式のセンサである。
【００１５】
１９は押圧部材であり、ベルト１４の外周面のユニットシャッタ１１の開作動方向の後端側に固定された柱状部材であって、ユニットシャッタ１１の開作動時に、ユニットシャッタ１１の移動に伴って移動し、本体シャッタ２１の後端部を押圧して開作動方向に移動させる機能を有している。
本体シャッタ２１は、図３、図４に示すように、中央部に、入出金パネル２ｂのおもて面と面一に配置されたおもて面を有し、紙幣入出金口６に遊嵌する凸部２１ａが形成された板状部材（図５参照）であって、紙幣入出金口６を開閉する機能を有している。
【００１６】
２２はシャッタローラであり、本体シャッタ２１の開作動方向の前端側および後端側の裏面に本体シャッタ２１の開作動方向と直交する方向に固定され、本体シャッタ２１から装置本体２の側面パネル２ｃ（図１参照）の方向に延在する支持シャフト２３のそれぞれの両端に回転自在に設けられている（図５参照）。
２４はバネ部材としての引張コイルスプリングであり、入出金パネル２ｂの裏面に設けられたスプリングポスト２５に一端を固定され、他端は本体シャッタ２１の後端部、本実施例では、本体シャッタの開作動方向の後端側に設けられた支持シャフトに取付られており、本体シャッタ２１を閉作動方向に付勢して、ストッパ２６に係止させる機能を有している。
【００１７】
２７はガイドレールであり、装置本体２の両側の側面パネル２ｃまたはフレームにそれぞれ取付けられた、シャッタローラ２２が活動可能な溝幅を有するコの字状断面形状の長尺部材であって、本体シャッタ２１の開作動時および閉作動時に、シャッタローラ２２の移動を案内する機能を有している。
２９は吸水部材であり、ポリウレタン等を発泡成形したスポンジ等の、弾性および吸水性を有する材料で形成され、入出金パネル２ｂの、本体シャッタ２１の開作動方向の紙幣入出金口６の内縁部の裏面に貼付等により固定されており、本体シャッタ２１の開作動時および閉作動時に、本体シャッタ２１の凸部２１ａのおもて面に摺接して、そのおもて面に付着した雨水等の水分を吸収する機能を有している。
【００１８】
また、吸水部材２９は、図５に示すように、その開作動方向と直交する方向の両端部を、装置本体２の側面パネル２ｃの方向に延在させて入出金パネル２ｂの裏面に固定されており、その両端部をそれぞれ装置本体２に設けられた図示しない排水ダクトに導いて、吸収した水分を外部に排出するよう構成されている。
上記した紙幣入出金ユニット５は、装置本体２に装着され、図示しない固定手段で固定されたときに、図４に示すように、引張コイルスプリング２４によりストッパ２６に係止された閉鎖位置にある本体シャッタ２１の下方に、入出金ユニット５の閉鎖位置にあるユニットシャッタ１１が位置しており、この閉鎖位置にあるユニットシャッタ１１をシャッタ閉センサ１７が検出している。
【００１９】
顧客が、現金自動預払機１の操作表示部３から出金取引を選択し、その出金金額等を入力すると、現金自動預払機１の図示しない主制御部から、紙幣入出金ユニット５へ紙幣の出金指令が送出され、紙幣入出金ユニット５は、図示しない収納庫から出金金額に相当する紙幣を繰出して入出金部１０に集積する。
紙幣の集積後に、紙幣入出金ユニット５は、摩擦ローラ１５を矢印Ａ方向に回転させ、ベルト１４の外周面を摩擦力により駆動してベルト１４にシャッタ固定具１６を介して固定されているユニットシャッタ１１を開作動方向に移動させ、シャッタ開センサ１８がユニットシャッタ１１を検出したときに、ユニットシャッタ１１を開放位置に停止させる。
【００２０】
このユニットシャッタ１１の開作動方向への移動のときに、ベルト１４に固定されている押圧部材１９が、本体シャッタ２１の後端側に固定された支持シャフト２３を押圧し、引張コイルスプリング２４の付勢力に抗して、本体シャッタ２１を、ガイドレール２７に案内されたシャッタローラ２２により、ガイドレール２７に沿って開作動方向に移動させ、図６に示す開放位置に停止させ、本体シャッタ２１に閉鎖されていた紙幣入出金口６を開放する。
【００２１】
また、ユニットシャッタ１１に連動した本体シャッタ２１の開作動方向への移動のときに、紙幣入出金口６の縁部に設けられた吸水部材２９が、その弾性により撓みながら本体シャッタ２１の凹部２１ａのおもて面に摺接し、そこに付着している水分を吸収して図示しない排水ダクトから外部へ排出する。
そして、顧客が、解放された紙幣入出金口６から手を挿入して、入出金部１０に集積された紙幣を取出すと、これを検知した紙幣入出金ユニット５は、摩擦ローラ１５を矢印Ａとは反対方向に回転させ、ユニットシャッタ１１を開作動方向とは反対方向の閉作動方向に移動させ、シャッタ閉センサ１７がユニットシャッタ１１を検出したときに、ユニットシャッタ１１を閉鎖位置に停止させる。
【００２２】
このユニットシャッタ１１の閉作動方向への移動のときに、本体シャッタ２１を閉作動方向に付勢している引張コイルスプリング２４により、本体シャッタ２１が押圧部材１９に当接しながら、ガイドレール２７に沿って閉作動方向に移動し、図４に示す閉鎖位置に停止し、紙幣入出金口６を本体シャッタ２１により閉鎖する。
また、ユニットシャッタ１１に連動した本体シャッタ２１の閉作動方向への移動のときに、紙幣入出金口６の縁部に設けられた吸水部材２９が、その弾性により撓みながら本体シャッタ２１の凹部２１ａのおもて面に摺接し、そこに残留している水分を再度吸収して図示しない排水ダクトから外部へ排出する。
【００２３】
入金取引が選択された場合も、上記と同様にして、紙幣入出金口６が開放され、紙幣の投入後に、紙幣入出金口６がユニットシャッタ１１と連動した本体シャッタ２１により閉鎖される。
このように、本実施例の現金自動預払機１においては、防雨機能を有する本体シャッタ２１をユニットシャッタ１１に連動させて自動的に開閉するので、顧客は、防雨シャッタを手動で開閉させる必要はなく、現金自動預払機の操作性を阻害することなく顧客に通常の場合と同様の手順による紙幣の入出金取引を提供することができる。
【００２４】
また、降雨時または降雨直後の取引においては、顧客が本体シャッタ２１に手を触れる必要がないので、本体シャッタ２１のおもて面が雨水で濡れた状態になっていたとしても顧客の手が雨水で汚れることはなく、衛生面において優れると共に、入金する紙幣または出金した紙幣に水分が付着することはなく、紙幣の水分による損傷や水分による剛性の低下を防止することができる。
【００２５】
更に、本実施例の紙幣入出金口６には、本体シャッタ２１の開閉作動時に、そのおもて面に摺接する吸水部材２９が設けてあるので、本体シャッタ２１による防雨機能を更に高めて、雨水等の水分の内部への侵入を防止することができる。
更に、本体シャッタ２１を、ユニットシャッタ１１の開閉機構１２に設けた押圧部材によって、ユニットシャッタ１１の開閉作動に連動させて移動させるので、防雨機能を有するシャッタ機構を、省スペースかつ簡素な構成で形成することができると共に、紙幣入出金ユニット５の取外し時には、本体シャッタ２１を閉鎖状態のままにしておくことができ、降雨時における補充作業や保守作業においても、雨水が内部に侵入することはなく、紙幣入出金ユニット５を除く装置内部の各部位への水分の侵入による故障の可能性を低減することができる。
【００２６】
更に、本体シャッタ２１を独立して開閉させる駆動機構を備えていないので、駆動機構の故障による、本体シャッタ２１の開放状態での停止の確率を低減させることができる。
以上説明したように、本実施例では、装置本体に着脱可能に装着された紙幣入出金ユニットを備えた現金自動預払機において、装置本体に、その入出金パネルのおもて面と面一のおもて面を有し、入出金パネルに設けられた入出金口を開閉する本体シャッタと、本体シャッタの裏面に本体シャッタの開作動方向と直交する方向に設けられた支持シャフトと、支持シャフトの両端に回転自在に設けられたシャッタローラと、シャッタローラの移動を案内するガイドレールと、本体シャッタを閉作動方向に付勢するバネ部材とを設けると共に、貨幣入出金ユニットのユニットシャッタの開閉機構に、本体シャッタの開作動方向の後端部を押圧する押圧部材を設け、ユニットシャッタの開作動時に、押圧部材で本体シャッタの後端部を押圧して本体シャッタを開作動させるようにしたことによって、ユニットシャッタの開閉作動に連動させて本体シャッタを開閉作動させることができ、防雨機能を有するシャッタ機構を、省スペースかつ簡素な構成で形成することができると共に、顧客に通常の場合と同様の手順による紙幣の入出金取引を提供することができる他、降雨時または降雨直後の取引においては、顧客が本体シャッタに手を触れる必要がなくなり、入金する紙幣または出金した紙幣に水分が付着することを防止して、紙幣の水分による損傷や水分による剛性の低下を防止することができる。
【００２７】
また、入出金パネルの、紙幣入出金口の開作動方向の縁部の裏面に、本体シャッタの開閉作動時に、本体シャッタのおもて面に摺接する吸水部材を設けたことによって、本体シャッタによる防雨機能を更に高めて、雨水等の水分の装置内部への侵入を防止することができる。
【実施例２】
【００２８】
図７は実施例２の現金自動預払機のシャッタ部の側面を示す説明図、図８は実施例２の現金自動預払機のシャッタ部の上面を示す説明図である。
なお、図７はロック機構の手前側のシャッタローラを除いた状態で示し、図８は装置本体のパネルを除いた状態で示してある。
また、上記実施例１と同様の部分は、同一の符号を付してその説明を省略する。
【００２９】
図７、図８において、３１はロック機構であり、本体シャッタ２１の開作動方向の後端側の裏面に固定された支持シャフト２３に、図示しない付勢手段により装置本体２の入出金パネル２ｂの方向に付勢された状態で回動自在に設けられたロックレバー３２と、入出金パネル２ｂの裏面に設けられ、ロックレバー３２の爪部が係合する係合部３３とで構成されており、図７に示すように、本体シャッタ２１が、紙幣入出金口６を閉鎖する閉鎖位置にあるときは、ロックレバー３２の爪部が係合部３３に係合して本体シャッタ２１をロックし、取引時には、図示しないロック解除機構により、ロックレバー３２と係合部３３との係合が解除され、上記実施例１と同様に、ユニットシャッタ１１と連動して移動可能なように構成されている。
【００３０】
このように、本実施例の本体シャッタには、本体シャッタが紙幣入出金口を閉鎖する閉鎖位置にあるときに、本体シャッタをロックするロック機構が設けてあるので、上記実施例１の効果に加えて、本体シャッタの破壊による装置内部の紙幣の盗難の可能性を極めて低いものとすることができる。
なお、上記各実施例においては、海外の金融機関の店舗に外壁設置された現金自動預払機の場合を例に説明したが、国内の銀行や消費者金融会社等の金融機関の支店や、コンビニエンスストア等の店舗に外壁設置された現金自動預払機に適用すれば、上記と同様の効果を得ることができる。
【００３１】
また、上記各実施例においては、外壁設置された現金自動預払機の場合を例に説明したが、屋内に設置された場合においても、コンビニエンスストア等で顧客が飲料物を片手に操作した場合に、誤って飲料物を入出金パネル上にこぼしてしまったとき等に、その水分の内部への侵入を防止することができるので、有用である。
更に、上記各実施例においては、貨幣入出金ユニットは、貨幣としての紙幣を取扱うの紙幣入出金ユニットであるとして説明したが、貨幣としての硬貨を取扱うの硬貨入出金ユニットの入出金口としての硬貨入出金口に適用しても、上記と同様の効果を得ることができる。
【００３２】
更に、上記各実施例においては、自動取引装置は現金自動預払機であるとして説明したが、自動取引装置は前記に限らず、ＣＤ（Ｃａｓｈ  Ｄｉｓｐｅｎｓｅｒ：現金自動支払機）や両替機等であってもよく、鉄道の駅や道の駅、バスの停留所、高速道路のサービスエリアやパーキングエリア、遊技場、劇場、駐車場、食堂、スポーツ施設等に設置された自動券売機等であってもよい。
【図面の簡単な説明】
【００３３】
【図１】実施例１の現金自動預払機を示す外観図
【図２】実施例１の紙幣入出金ユニットのシャッタ機構を示す説明図
【図３】実施例１の装置本体のシャッタ機構を示す説明図
【図４】実施例１の現金自動預払機のシャッタ部の側面を示す説明図
【図５】実施例１の現金自動預払機のシャッタ部の上面を示す説明図
【図６】実施例１の現金自動預払機のシャッタの開放状態を示す説明図
【図７】実施例２の現金自動預払機のシャッタ部の側面を示す説明図
【図８】実施例２の現金自動預払機のシャッタ部の上面を示す説明図
【符号の説明】
【００３４】
１    現金自動預払機
２    装置本体
２ａ  前面パネル
２ｂ  入出金パネル
２ｃ  側面パネル
３    操作表示部
５    紙幣入出金ユニット
６    紙幣入出金口
７    スライドレール
８    扉
１０  入出金部
１１  ユニットシャッタ
１２  開閉機構
１３ａ、１３ｂ  プーリ
１４  ベルト
１５  摩擦ローラ
１６  シャッタ固定具
１７  シャッタ閉センサ
１８  シャッタ開センサ
１９  押圧部材
２０  モータ
２０ａ  駆動シャフト
２１  本体シャッタ
２１ａ  凸部
２２  シャッタローラ
２３  支持シャフト
２４  引張コイルスプリング
２５  スプリングポスト
２６  ストッパ
２７  ガイドレール
２９  吸水部材
３１  ロック機構
３２  ロックレバー
３３  係合部
【図１】
2010073148.tif 000003
【図２】
2010073148.tif 000004
【図３】
2010073148.tif 000005
【図４】
2010073148.tif 000006
【図５】
2010073148.tif 000007
【図６】
2010073148.tif 000008
【図７】
2010073148.tif 000009
【図８】
2010073148.tif 000010